(57)【要約】【課題】  哺乳瓶の乳首など飲料容器の頂部を、ミルクなどの飲料がいつも満たし、乳児等の口の中にまっすぐに入る状態を保てるようにして、乳児等が一人で摂取しやすくする飲料容器ホルダーを提供すること。【解決手段】  略円筒状の飲料容器を収容すると共に保持して、飲料摂取者の摂取に寄与する飲料容器ホルダーにおいて、飲料容器を内挿して支持する略筒状の本体部と、その本体部の下半部に連結される少なくとも２本の紐状体と、その紐状体の略端部に設けられ、開閉によって他との接続を自在にすると共に紐状体にかかり得る過大な張力によっては接続を解除する開閉部を有する連結部材とを設ける。【選択図】  図６
2007045437.tif 000002
【特許請求の範囲】
【請求項１】
略円筒状の飲料容器を収容すると共に保持して、飲料摂取者の摂取に寄与する飲料容器ホルダーであって、
飲料容器を内挿して支持する略筒状の本体部と、
その本体部の下半部に連結される少なくとも２本の紐状体と、
その紐状体の略端部に設けられ、開閉によって他との接続を自在にすると共に紐状体にかかり得る過大な張力によっては接続を解除する開閉部を有する連結部材とを備える
ことを特徴とする飲料容器ホルダー。
【請求項２】
本体部の外側面と紐状体とに、その両者を連結する係止部材が備わる
請求項１に記載の飲料容器ホルダー。
【発明の詳細な説明】
【技術分野】
【０００１】
本発明は、乳幼児が円滑かつ容易に自ら授乳できる哺乳瓶ホルダーなど、飲料容器を保持するホルダーに関する。
【背景技術】
【０００２】
従来の哺乳瓶によると、乳幼児に哺乳瓶を持たせて一人で飲ませると、飲み物がボトルの半分くらいになったところで、空気が入って飲みづらくなる。特に赤ちゃんの場合は、飲むという行為を止めずに、そのまま空気ばかりの乳首を吸い続けるため、体内に過剰な空気が入り、飲んだミルクをもどしてしまうこともある。
【０００３】
最適な授乳には、哺乳瓶の乳首全体をミルクがいつも満たしていて、それが乳児の口の中にまっすぐに入る状態が望まれる。
月齢の大きな乳児の場合、ボトル底部を持ち上げて角度をつけ、自ら空気を入れないようにしながら飲むこともできる。
しかし、哺乳瓶が特にガラス製の場合や、ミルクが多量に入っている場合などは、長時間自分で支えながら飲み続けるのには重量があり負担を与える。
哺乳瓶には取手がないので、小さい手で哺乳瓶を抱え続けるには負担が大きく、すべって落としてしまったり、口からずれてしまったりして、結局その度に大泣きして、母親は再度、乳首を口に入れに助けにいってやらねばならない。
【０００４】
母親が抱っこをして毎回授乳をするというのが、もちろん理想形であることに間違いはない。しかし、授乳は一日に何度も行われ、授乳の途中に眠ってしまう場合もあり、一回の授乳時間が１時間にも及ぶこともあるので、母親の拘束時間を考えるとできれば一人で飲んでくれるというのは有難い。たとえ忙しい母親でなくても、双子や三つ子のように授乳者の手が足りないときにも、一人で授乳ができるというのは便利である。また、乳幼児の自立にもつながる利点がある。
また、母親が運転中の場合でも、すぐに授乳できる利点もある。赤ちゃんはお腹がすくとすぐに泣くが、要求が叶えられるまで泣き声は徐々に大きくなっていくので、車を駐車する頃には非常ベルのようなけたたましい大声となる。そのような時、待たされた赤ちゃんも可哀想だが母親のストレスレベルと疲労困憊度も非常に高くなり、安全な運転に支障をきたしかねない。
【０００５】
ベビーカーの場合では、買い物中の母親は授乳のために授乳場所を確保し、一旦ベビーカーから赤ちゃんを降ろし、抱っこをして片手で赤ちゃんの体と頭を支え、もう片方の手で哺乳瓶に角度を付け空気が入らないように注意をしながら授乳をすることになる。これが移動や買物など何か行動を行っている最中であると、わざわざ落ち着いて授乳できるスペースや椅子等を探さなくてはならないので、余計な時間と労力がかかり、乳児をもつ母親に対して外出の機会を奪うことにもつながっていた。
【０００６】
従来の授乳補助器具は、機械のように大掛かりな固定式タイプなもので、使用場所を限定するものであったり、乳児が首を横に向けないと飲めない形状であったりした。他にも、乳児の胸部に乗せて哺乳補助するものがあるが、哺乳瓶を適度な角度に傾斜させにくく、更には、乳児が動いたら、補助具もずれてしまいその用をなさないものであった。
【０００７】
例えば、特許文献１は、装置が大掛かりであり、設置場所が限られてしまうものである。
【特許文献１】実用新案登録第３０８６１９０号「補助哺乳器」
【０００８】
特許文献２は、ボトル底部を持ち上げるという構成であるが、哺乳瓶ケースではなく、リング状のホルダーをヒモで上部に引っ掛けるタイプのものである。これによると、万が一ガラスの哺乳瓶が落ちてしまったときに、クッション性がないので割れやすく、ビンを覆うタイプではないので保温性もない。また、固定した支えがないとヒモを引っ掛けられないので、多様な場所で使用したり、まして、ベビーカーでの移動中などに利用することは困難である。
【特許文献２】登録実用新案第３０６９０９３号「哺乳瓶ホルダー」
【０００９】
特許文献３は、哺乳瓶、ペットボトル、幼児用飲料容器をいれて使うケースであるが、紐の取り付け部分が容器底部を持ち上げるデザインになっていないことから、哺乳瓶に角度をつけて飲ますということができない。それから、首に直接、紐をかけるので安全上難点がある。また、袋状なので中身の量が確認できない。
【特許文献３】登録実用新案第３００８３６３号「遠赤外線飲料ボトル収納具」
【発明の開示】
【発明が解決しようとする課題】
【００１０】
そこで、本発明は、哺乳瓶の乳首など飲料容器の頂部を、ミルクなどの飲料がいつも満たし、しかも乳児等の口の中にまっすぐに入る状態を保てるようにして、乳児等が一人で授乳可能な飲料容器ホルダーを提供することを課題とする。特に、簡単に哺乳瓶の角度を調節できるようにし、更には、哺乳瓶に付設された紐が首に引っかかることなく安全に授乳ができ、ミルクの量の確認も容易にし、保温性やクッション性も有する哺乳瓶として提供する。
【課題を解決するための手段】
【００１１】
上記課題を解決するために、本発明の飲料容器ホルダーは、次の構成を備える。
すなわち、略円筒状の飲料容器を収容すると共に保持して、飲料摂取者の摂取に寄与する飲料容器ホルダーにおいて、飲料容器を内挿して支持する略筒状の本体部と、その本体部の下半部に連結される少なくとも２本の紐状体と、その紐状体の略端部に設けられ、開閉によって他との接続を自在にすると共に紐状体にかかり得る過大な張力によっては接続を解除する開閉部を有する連結部材とを設けたことを特徴とする。
【００１２】
ここで、本体部の外側面と紐状体とに、その両者を連結する係止部材を設けて、その部分を取手として利用したり、飲料容器の保持角度の調整に寄与させてもよい。
【発明の効果】
【００１３】
本発明によると、簡易な構成でありながら、哺乳瓶の乳首全体をミルクがいつも満たし、乳児の口の中にまっすぐに入るベストな授乳状態を作り、母親の手を借りることなく、乳児が自らミルクを飲むことができる。
乳児の口を支点にすることにより、移動中でもバランスを保ち、安定した状態で授乳が可能である。
本体部分と紐部分にホックボタンをつけることにより、簡易に取手ができ上がり、子供が更に容易にミルクを飲むことができる。不使用時にはホックをはずすことにより、哺乳瓶が逆さまにならず、乳首からミルクがポタポタこぼれないですむ。
【００１４】
そして、乳児がミルクを飲みながらそのまま眠っても、哺乳瓶を落とす心配がない。乳児が再びミルクを飲みたくなった時、自ら授乳を再開することができる。
また、布状なので、調乳後のミルクを適温に保て、破損しやすいガラス製の哺乳瓶を保護でき、洗濯が容易であり衛生的である。
側面と底部に隙間を空けることにより、ミルクの中身の量がケースから取り外さなくても確認できる。
保護者が忙しくても、すぐに授乳でき、授乳者、子供、両者のストレスが軽減される。車両の運転中や、歩行中でも迅速に授乳が行える。
本体、紐、クリップ部分のパターンを変えることにより、幾通りにもデザインできファッション性も兼ね揃えている。
【発明を実施するための最良の形態】
【００１５】
以下、本発明の実施形態について、図面を基に説明する。
本発明による飲料容器ホルダーは、哺乳瓶の他、幼児用飲料容器、ペットボトルを入れるケース類としても使用可能であり、介護の必要な方も利用可能であるが、ここでは、典型的な実施例として、乳児の哺乳の場合を例示して説明する。なお、本発明の構成はその趣旨から逸脱しない限り適宜設計変更可能なものである。
【００１６】
本発明の飲料容器ホルダーは、本体部と、少なくとも２本の紐状体と、連結部材とを備える。本体部は、飲料容器を内挿して支持する略筒状であり、紐状体は、その本体部の下半部に連結され、連結部材は、その紐状体の略端部に設けられ、連結部材には、開閉によって他との接続を自在にすると共に紐状体にかかり得る過大な張力によっては接続を解除する開閉部が備わる。
【００１７】
２本の紐状体の長さを調節して、クリップを留める位置を移動させることによって、本体部に収容される哺乳瓶の角度を自在に変えることが可能である。紐状体の長さ調節は、紐状体自体の長さを変えてもよいし、連結部材を取り付ける位置を変化させることで行ってもよい。
連結部材は、市販のクリップの他、マジックテープ（登録商標）、紐、ボタン、ホック等も利用できる。
【００１８】
２本の紐状体は、本体部の下半部に接続することが好ましい。すると、哺乳瓶の底部を２本の紐状体で持ち上げて安定支持すると共に、乳児が一人で哺乳瓶に角度をつけて授乳を行える手助けとなる。
乳児の口を支点にして用いることにより、移動中でも安定的してバランスをとりながら授乳を続けることができる。
【００１９】
紐状体の先にクリップをつけることにより、ベビーカー、チャイルドシート、ベビースイング等の椅子やベッド、衣類にも取り付けられ、あらゆるところで使用が可能であり、機械のように大きくもなく、固定式でもないので携帯性も十分備えている。
紐状体を乳児の中心になるようにクリップを取り付ければ、無理な姿勢で首を傾けながら飲む必要もなくなる。
そして、クリップは過大な負荷がかかると開くので、万が一、首に紐が引っかかっても、クリップが外れるので安全でもある。
【００２０】
本体部は、布製の素材を使用することにより、保温性を高め、万が一落としたときにも容器の破損を防ぐことができ、更には携帯性にも便利になる。
布製であると、布と紐、クリップのパターンを変えれば幾通りにもデザインでき、ファッション性も兼ね揃えられる。また、洗濯が容易であり衛生的である。
本体部の側面に取手を付設して、それを乳児が自ら把持し、安定した姿勢で飲み続けやすくしてもよい。
【００２１】
本発明品を使用すると、移動中でも迅速かつ安全にミルクを赤ちゃんに与えることができるので効率的で、赤ちゃんと母親の両方のストレスも軽減される。クリップを授乳者の襟元に挟めば、抱っこをしながらミルクを与えるのに、片手が空くため便利である。
【００２２】
また、乳児の口と哺乳瓶との距離を調節自在なので、口が瓶に密着しないように設定できるので、乳児は自由に口から乳首をはずすことができ、すなわち、飲みたくないときは自分ではずすことができ、なおかつ、その状態で眠りにつくこともできるので、無理やりミルクを飲ます心配もない。
逆に、哺乳瓶を近傍にぶら下げてあるため、乳児が再びミルクを飲みたいときには、乳児自ら哺乳瓶の乳首を口に持っていき授乳を再開することが容易である。
【実施例】
【００２３】
図１は、本発明の一実施例を示す説明図である。
子供がベビーカー（９）に乗って、本発明による飲料容器ホルダーを使用している状態を示している。このホルダーを使用することにより、従来は静止して行わなくてはいけなかった授乳が、移動中でも可能となる。
本体部（２）は、飲料容器を内挿して支持する略筒状であり、紐状体（３）は、その本体部の下半部に連結され、連結部材（１）は、その紐状体の略端部に設けられている。
【００２４】
クリップ等の連結部材（１）の取り付け位置により、哺乳瓶底部を持ち上げ、授乳者が補助することなく、哺乳瓶の乳首が子供の口に安定して入る位置関係に設定される。
２本の紐状体（３）で支えることにより、確実に哺乳瓶底部が持ち上がり、乳児の口（４）が支点となりバランスを保つことにより、口から外れにくくなる。しかも移動などの際における衝撃や万が一、子供が動いたとしても、口から外れにくい状態を保つことができる。このまま飲みながら眠ってくれることにより、母親は、抱っこをして寝かしつける必要もなく、子供も飲み終わったら乳首を簡単に口からはずすことができるので、飲みたくもないのに乳首を口に入れ続けるといったストレスもない。
【００２５】
図２は、本発明によるホルダーの斜視図である。
本体部（２）は、筒状もしくは袋状の形状で哺乳瓶を出し入れ容易な形状であり、素材は布、撥水性の布（ビニール、ナイロン等）、プラスチック、発泡スチロール、革、もしくは、布全体に収縮性のある素材などで構成することができ、紐状体（３）の素材は、布やビニール、革、ゴムなどで構成することができる。
本体部（２）の上部に、ゴムや紐等の締帯（７）などを付設して、弾性をもたせるか径をしぼって、哺乳瓶が抜け落ちないようにすることが好ましい。側面と底面には、のぞき穴のような隙間（５）（６）を設けると、哺乳瓶の中身の残量が確認しやすくなるが、この隙間は作らなくてもよい。また、透明素材を使って中身を見えやすくすることもできる。
【００２６】
なお、図示の例のほかに、紐状体（３）の本体部（２）に対する接続位置は、本体部（２）の側面のあらゆる部分に取り付け可能であるが、本体部（２）の高さ２分の１以下にあたる下半部に設け、哺乳瓶底部が持ち上がるようにすることが好ましい。他に本体部（２）の高さ２分の１より上の部分１点と、２分の１以下の１点等に設けてもよいし、３本以上の紐状体（３）を取り付けることもできる。
【００２７】
紐状体（３）の連結部分は側面のどの部分にでも取り付け可能であるが、径の長い部分が好ましい。紐状体（３）は直接縫い付けてもよいし、クリップを介して接続して、とりはずし可能にすることもできる。他にボタン、マジックテープ（登録商標）、ホックでもよい。
【００２８】
哺乳瓶の出し入れ方は、筒状の本体部（２）の上方から差し込むこともできるし、下から差し込むこともできる。また、筒状の側面を全開にして容器を出し入れすることも可能である。
その場合は、ファスナー、マジックテープ（登録商標）、紐、ホックなどで留めはずし可能に作ることもできる。プラスチックと発泡スチロールの場合は、別途着脱のための開閉パーツを取り付けることもできる。
【００２９】
図３及び４は、クリップ部分の使用形態を示す斜視図である。クリップ（１）は、図３のように、ベビーカー、ベビーベッド、ベビーチェア、ベビースィング、バウンサー、チャイルドシートに取り付けて使う。また、図４のように、授乳者の衣服（１０）にクリップ（１）を挟んだり、或いは、クリップ同士を連結させて、輪状にして授乳者の首にかけ抱っこしながらの授乳を楽にするためにも使える。
【００３０】
図５は、事故防止クリップを付設した例を示す説明図である。
紐状体（３）が、事故防止クリップ（８）を介して本体部（２）に接続されている。紐状体（２）に負荷がかかると事故防止クリップ（８）でもはずれるため安全である。授乳者の監視がないときに、特に有効である。
本体部（２）と紐状体（３）とが分離することにより、洗濯が容易になり、しかも紐状体（３）の素材がビーズのような洗濯不可能な素材でも作成可能なための紐素材の応用範囲が広がる利点がある。
【００３１】
図６は、更に別の実施例の説明図である。
本体部（２）の側面上部と紐状体（３）の中程とに、ホック等の係止部材（１１）（１２）が付設されている。両ホック（１１）（１２）を連結させると、取手を簡易的に作ることができる。また、哺乳瓶の角度調整にも活用できる。不使用時にはホックをはずして哺乳瓶が逆さまになって中身がこぼれないようにすることもできる。
更に、紐状体（３）の中程に紐を巻き取って長さ調節するパーツ（１３）をつけることにより、哺乳瓶の角度調整に寄与させてもよい。
【００３２】
図７は、更に別の実施例の説明図である。
紐状体（３）を、装飾性のあるビーズをゴムに通したもので構成し、ファッション性を考慮した。ビーズは不使用時に子供のおもちゃとして使用可能である。
【産業上の利用可能性】
【００３３】
本発明のホルダーは、乳児が過ごす場所を提供する装置、例えばベッド、ベビースイング、ベビーチェア、ベビーカー、バウンサー、チャイルドシート、または授乳者の服の一部に取り付け、またはクリップを連結させて輪状にして授乳者の首にかけて使用するなど、多様に使用可能である。
個人的な使用に限らず、病院、保育施設等においても有用である。
また、乳児に限らず、介護の必要な者にも用途がある。
簡易な構成でこのような利便性を提供できるので、産業上利用価値が高い。
【図面の簡単な説明】
【００３４】
【図１】本発明ホルダーの実施形態を示す説明図
【図２】本発明ホルダーの実施例を示す説明図
【図３】クリップ部分の使用形態を示す斜視図
【図４】同、別実施形態図
【図５】本発明ホルダーの実施例を示す説明図
【図６】同、別実施例図
【図７】同、別実施例図
【符号の説明】
【００３５】
１  連結部材
２  本体部
３  紐状体
４  乳児の口
５、６  隙間
７  締帯
８  事故防止クリップ
９  ベビーカー
１０  授乳者の衣服
１１、１２  係止部材
１３  長さ調節パーツ
【図１】
2007045437.tif 000003
【図２】
2007045437.tif 000004
【図３】
2007045437.tif 000005
【図４】
2007045437.tif 000006
【図５】
2007045437.tif 000007
【図６】
2007045437.tif 000008
【図７】
2007045437.tif 000009
【手続補正書】
【提出日】平成17年9月2日(2005.9.2)
【手続補正１】
【補正対象書類名】図面
【補正対象項目名】図４
【補正方法】変更
【補正の内容】
【図４】
2007045437.tif 000010
【手続補正書】
【提出日】平成18年7月11日(2006.7.11)
【手続補正１】
【補正対象書類名】特許請求の範囲
【補正対象項目名】請求項１
【補正方法】変更
【補正の内容】
【請求項１】
略円筒状の飲料容器を収容すると共に保持して、飲料摂取者の摂取に寄与する飲料容器ホルダーであって、
飲料容器を内挿して支持する略筒状の本体部と、
その本体部の下半部における側面の長径方向に位置する２端部に連結される２本の紐状体と、
その紐状体の略端部に設けられ、開閉によって他との接続を自在にすると共に紐状体にかかり得る過大な張力によっては接続を解除する開閉部を有する連結部材とを備え、
紐状体により本体部の底部を持ち上げて逆さま状態に配置した際には、２本の紐状体と飲料摂取者の口とによって安定支持可能である
ことを特徴とする飲料容器ホルダー。
【手続補正２】
【補正対象書類名】明細書
【補正対象項目名】００１１
【補正方法】変更
【補正の内容】
【００１１】
上記課題を解決するために、本発明の飲料容器ホルダーは、次の構成を備える。
すなわち、略円筒状の飲料容器を収容すると共に保持して、飲料摂取者の摂取に寄与する飲料容器ホルダーにおいて、飲料容器を内挿して支持する略筒状の本体部と、その本体部の下半部における側面の長径方向に位置する２端部に連結される２本の紐状体と、その紐状体の略端部に設けられ、開閉によって他との接続を自在にすると共に紐状体にかかり得る過大な張力によっては接続を解除する開閉部を有する連結部材とを設け、紐状体により本体部の底部を持ち上げて逆さま状態に配置した際には、２本の紐状体と飲料摂取者の口とによって安定支持可能に構成したことを特徴とする。
【手続補正３】
【補正対象書類名】図面
【補正対象項目名】図４
【補正方法】変更
【補正の内容】
【図４】
2007045437.tif 000011